(57)【要約】【課題】  配電線の系統電圧を測定する際、系統内に設置している自動電圧調整器（ＳＶＲ）において２次側（送出電圧）の測定を実施しているが、ＳＶＲの１次側（到達電圧）の測定ができないため、別に１次側（電源側）へ電圧測定器を取り付けて、この電圧測定器で１次側の電圧の測定を実施している。【解決手段】  ＳＶＲのタップの動作状態から検出されるタップ数から求めた変圧比と、ＳＶＲにより測定した２次側の電圧値に基づいて、１次側の電圧値を演算して記録することを可能とするとともに、記録した測定期間内のＳＶＲのタップ値から、タップ値の裕度を確認する。【選択図】      図４
2009050119.tif 000002
【特許請求の範囲】
【請求項１】
配電系統に設置された自動電圧調整器の１次側と２次側の電圧を測定する自動電圧調整器用電圧測定器であって、
測定開始時のタップ値を入力するタップ初期値入力手段と、
測定期間内に発生した自動電圧調整器によるタップの上下への制御の情報を受信するタップ制御情報受信手段と、
前記測定開始時のタップ値と、前記自動電圧調整器によるタップの上下への制御の情報とに基づいて、測定時点のタップ値を算出するタップ値算出手段と、
前記自動電圧調整器の２次側の電圧を測定して電圧値を入力する２次側電圧入力手段と、
前記測定した２次側の電圧値と前記測定時点のタップ値に基づいて、１次側の電圧値を算出する１次側電圧算出手段と、
を備えることを特徴とする自動電圧調整器用電圧測定器。
【請求項２】
自動電圧調整器のタップ値ごとに異なる２次側電圧値と１次側電圧値との変圧比のデータを予め備え、
前記１次側電圧算出手段は、２次側の電圧値に、測定時点のタップ値に対応した変圧比を乗じて、１次側の電圧値を算出することを特徴とする請求項１記載の自動電圧調整器用電圧測定器。
【請求項３】
自動電圧調整器のタップ数を含む基本情報を入力する基本情報入力手段を備え、
複数の自動電圧調整器における前記２次側電圧値と１次側電圧値との変圧比のデータを自動電圧調整器ごとにさらに備え、
前記１次側電圧算出手段は、前記基本情報入力手段が入力した自動電圧調整器のタップ数を含む基本情報に基づいて、２次側電圧値と１次側電圧値との変圧比のデータを抽出することを特徴とする請求項１又は２に記載の自動電圧調整器用電圧測定器。
【請求項４】
配電系統に逆潮流が発生した場合に逆送検出信号を入力する逆送検出手段と、
前記１次側電圧算出手段は、逆送検出信号の入力時に変圧比を逆にして１次側の電圧値を演算することを特徴とする請求項１乃至３のいずれか一に記載の自動電圧調整器用電圧測定器。
【請求項５】
前記タップ値算出手段は、算出した電圧測定期間内のタップ値を保存し、
前記保存した電圧測定期間内のタップ値に基づいて、自動電圧調整器のタップ裕度を判定するタップ裕度判定手段を備えることを特徴とする請求項１乃至４のいずれか一に記載の自動電圧調整器用電圧測定器。
【発明の詳細な説明】
【技術分野】
【０００１】
本発明は、配電系統に設置される自動電圧調整器の１次側と２次側の電圧を測定することができる自動電圧調整器用電圧測定器に関する。
【背景技術】
【０００２】
従来、配電線の系統電圧を測定する際、系統内に設置している自動電圧調整器（以下「ＳＶＲ」という。）において２次側（送出電圧）の測定を実施しているが、ＳＶＲの１次側（到達電圧）の測定ができないため、別に１次側（電源側）へ電圧測定器を取り付けて、この電圧測定器で１次側の電圧の測定を実施している。
【０００３】
図１は、従来のＳＶＲの電圧測定方法を説明する図である。
ここで、配電系統の電源側に接続されている制御巻線によって降圧された電圧を遠方監視制御装置子局に取り込んで、電圧計により測定している。
【０００４】
２次側についても、同様に自動電圧調整器からの送出電圧を、制御巻線により降圧して、制御盤に取り込んで電圧計により測定している。
【０００５】
また、測定期間内のＳＶＲタップ値が分からないという問題もあり、ＳＶＲタップ値の裕度を確認することができないため、配電系統の安全が十分に確保できないという問題もあった。
【０００６】
そのため、自動電圧調整器の稼動状況を的確に把握することを目的に、１次側電圧（到達電圧）と２次側電圧（送出電圧）を測定器に入力して、各種データを記録させることで高圧配電線路の電圧調整精度、負荷状態等を可能とする高圧自動電圧調整器の稼動状況記録方法及び記録装置の技術等が提案されている（例えば、特許文献１を参照）。
【特許文献１】特開平８−２０３７５６号公報
【発明の開示】
【発明が解決しようとする課題】
【０００７】
しかしながら、上述の従来の方法では、１次側の電圧を測定するために、電源側へ別に電圧測定器を取り付けなければならず、そのための移動や取り付け作業に時間を要しているという問題があった。また、測定期間中のＳＶＲタップ値がわからないため、ＳＶＲタップ値の裕度の確認が困難であるという問題もあった。たとえば、タップ値が下限か上限かを正確に把握することができないと、２次側の負荷の変動に対して電圧の安定化制御ができない場合もある。
【０００８】
また、特開平８−２０３７５６号公報の高圧自動電圧調整器の稼動状況記録方法及び記録装置は、１次側電圧（到達電圧）と２次側電圧を測定器に入力して各種データを記録させるものであって、１次側電圧の測定は電圧測定器で行われるため、そのための移動や取り付け作業に時間を要しているという問題は解決されていない。
【０００９】
本発明はかかる事情に鑑みてなされたものであり、タップの動作状態から検出されるタップ数から求めた変圧比と、ＳＶＲの２次側の電圧値に基づいて、１次側の電圧値を演算して記録することを可能とするとともに、記録した測定期間内のＳＶＲのタップ値から、タップ値の裕度を確認することができる自動電圧調整器用電圧測定器を提供することを目的とする。
【課題を解決するための手段】
【００１０】
本発明の主な特徴は、ＳＶＲのタップ値、電圧調整幅、素通しタップなどが設定できる測定器とし、またタップの上げ、下げ回路に電流クランプメータを取り付けてタップの動作を検出できるようにして、タップ値から求めた変圧比と２次側の電圧値から、１次側の電圧値を演算して記録させるものである。
【００１１】
また、逆送時にも同様な測定ができるように、逆流継電器の動作状態を条件に取り込んで、上記と同様な方法で各種電圧を演算して記録させるものである。
【００１２】
本発明の自動電圧調整器用電圧測定器は、配電系統に設置された自動電圧調整器の１次側と２次側の電圧を測定する自動電圧調整器用電圧測定器であって、測定開始時のタップ値を入力するタップ初期値入力手段と、測定期間内に発生した自動電圧調整器によるタップの上下への制御の情報を受信するタップ制御情報受信手段と、前記測定開始時のタップ値と、前記自動電圧調整器によるタップの上下への制御の情報とに基づいて、測定時点のタップ値を算出するタップ値算出手段と、前記自動電圧調整器の２次側の電圧を測定して電圧値を入力する２次側電圧入力手段と、前記測定した２次側の電圧値と前記測定時点のタップ値に基づいて、１次側の電圧値を算出する１次側電圧算出手段と、を備えることを特徴とする。
【００１３】
本発明によれば、２次側の電圧値に基づいて１次側の電圧値を知得することができるので、１次側電圧の測定のために要する労力や時間を節約することができるという効果を奏する。
【００１４】
また、本発明の自動電圧調整器用電圧測定器は、自動電圧調整器のタップ値ごとに異なる２次側電圧値と１次側電圧値との変圧比のデータを予め備え、前記１次側電圧算出手段は、２次側の電圧値に、測定時点のタップ値に対応した変圧比を乗じて、１次側の電圧値を算出することを特徴とする。
【００１５】
さらに、本発明の自動電圧調整器用電圧測定器は、自動電圧調整器のタップ数を含む基本情報を入力する基本情報入力手段を備え、複数の自動電圧調整器における前記２次側電圧値と１次側電圧値との変圧比のデータを自動電圧調整器ごとにさらに備え、前記１次側電圧算出手段は、前記基本情報入力手段が入力した自動電圧調整器のタップ数を含む基本情報に基づいて、２次側電圧値と１次側電圧値との変圧比のデータを抽出することを特徴とする。
【００１６】
ここで「基本情報」とは、測定を行う自動電圧調整器のタップ数、電圧調整幅、素通しタップ数等を意味する。
【００１７】
本発明によれば、異なる自動電圧調整器においても、容易な設定により電圧測定を行うことができるという効果を奏する。
【００１８】
また、本発明の自動電圧調整器用電圧測定器は、配電系統に逆潮流が発生した場合に逆送検出信号を入力する逆送検出手段と、前記１次側電圧算出手段は、逆送検出信号の入力時に変圧比を逆にして１次側の電圧値を演算することを特徴とする。
【００１９】
これにより、逆潮流の発生が想定される配電線においても電圧測定が可能となるので、使用できる条件が制限されないという効果を奏する。
【００２０】
さらに、本発明の自動電圧調整器用電圧測定器は、前記タップ値算出手段は、算出した電圧測定期間内のタップ値を保存し、前記保存した電圧測定期間内のタップ値に基づいて、自動電圧調整器のタップ裕度を判定するタップ裕度判定手段を備えることを特徴とする。
【００２１】
これにより、上限又は下限のようなタップ値に裕度がない環境を簡単に把握することができるので、配電の安全を期することができるという効果を奏する。
【発明の効果】
【００２２】
本発明によれば、２次側の電圧を測定することで１次側の電圧を知得することができるので、電圧測定器の取り付けが１箇所となり、測定時間の短縮を図ることができる。
【００２３】
また、ＳＶＲのタップ値が記録できるため、ＳＶＲのタップ値の裕度を確認することが可能となり、２次側の負荷の変動に対して電圧の安定化制御を行うことができる。
【００２４】
さらに測定期間中に逆送状態となっても確実に測定することができ、かつ逆送中であることを判断しやすくなる。
【発明を実施するための最良の形態】
【００２５】
以下、本発明の第１の実施形態について説明する。
図２は、第１の実施の形態にかかる自動電圧調整器用電圧測定器１を用いて行うＳＶＲ２の電圧測定方法の概略を、従来のＳＶＲの電圧測定方法（図１）と比較して説明する図である。
【００２６】
本実施形態のＳＶＲ２の電圧測定方法では、従来とは異なり、ＳＶＲ制御回路２１のタップの上げ、下げ回路に電流クランプメータを取り付けてタップの上げ下げの動作を検出する。これにより、２次側電圧の測定時点におけるタップ値の把握が可能となり、タップ値から求められる所定の変圧比と取得した２次側の電圧値から、１次側の電圧値を演算することができる。
【００２７】
これにより、従来の電圧測定方法（図１）では必要であった１次側における電圧の測定が不要となる。
【００２８】
また、ＳＶＲ２に設置された逆流継電器２５が検出する配電線３の逆送の情報も、自動電圧調整器用電圧測定器１が取得する。これにより、動作状態を条件に取り込み、同様な方法で電圧を算出・記憶させることができる。
【００２９】
次に、本実施形態にかかる自動電圧調整器用電圧測定器１と自動電圧調整器２等の機器の構成について、図３に基づいて説明する。
【００３０】
本実施形態においては、６．６ｋＶの配電線３に設置した自動電圧調整器（ＳＶＲ）２の２次側に取り付けられた制御巻線２４から、本実施形態の自動電圧調整器用電圧測定器１が備える２次側電圧測定用のメタルコネクタ（２次側電圧測定部１３）に接続する。自動電圧調整器用電圧測定器１は、２次側電圧測定用のメタルコネクタの電圧値を測定して記憶する。また、２次側電圧測定用のメタルコネクタは、自動電圧調整器用電圧測定器１の電源となっている。
【００３１】
ＳＶＲ２が備えるＳＶＲ制御回路２１（タップ上・下回路）は、下げ回路２２、上げ回路２３にそれぞれ電流クランプメータ等を取り付けて、自動電圧調整器用電圧測定器１のタップ制御情報入力用のメタルコネクタ（タップ制御情報入力部１２）と接続する。これにより、自動電圧調整器用電圧測定器１は、ＳＶＲ２におけるタップの上げ下げの動作を検出して、タップ制御情報として記憶する。
【００３２】
さらに、本実施形態では、２次側に設置された逆流継電器２５に電流クランプメータ等を取り付けて、自動電圧調整器用電圧測定器１の逆流情報入力用のメタルコネクタ（逆流入力部１４）と接続する。自動電圧調整器用電圧測定器１は、逆流継電器２５から送られる配電線３の逆送により潮流方向が逆向きになった情報を検知して、逆流となっている時間の情報等を記憶する。
【００３３】
次に、図４の機能ブロック図に基づいて、本実施形態の自動電圧調整器用電圧測定器１の構成を説明する。
【００３４】
本実施形態の自動電圧調整器用電圧測定器１は、操作者がデータの入・出力を行う操作部１１、自動電圧調整器２のＳＶＲ制御回路２１からタップ制御情報を入力するタップ制御情報入力部１２、制御巻線２４から２次側電圧を取得して電圧値を測定する２次側電圧測定部１３、逆流継電器２５から送信される逆流情報を受信する逆送情報入力部１４、電圧の算出等の演算を行う演算部１５、電圧の演算に関する各種データを保持する記憶部１６等から構成されている。
【００３５】
次に、自動電圧調整器２の構成について説明する。本実施形態において自動電圧調整器２は、ＳＶＲ制御回路２１、制御巻線２４、逆流継電器２５等を備え、本実施形態の自動電圧調整器用電圧測定器１とは各種のケーブル類で接続する。
【００３６】
本実施形態の自動電圧調整器用電圧測定器１の演算部１５には、操作者が入力した自動電圧調整器２のタップ数、電圧調整幅等の基本情報のデータを入力する基本情報入力手段１５１、電圧の測定開始時におけるタップ初期値のデータ等を入力するタップ初期値入力手段１５２、タップ制御情報入力部１２からタップの上げ・下げの制御情報を受信するタップ制御情報受信手段１５３、タップ初期値とタップ制御情報から電圧測定時のタップ値を算出するタップ値算出手段１５４、２次側電圧測定部１３が測定した２次側の電圧値を入力する２次側電圧入力手段１５５、測定時点のタップ値と２次側電圧に基づいて１次側電圧を算出する１次側電圧算出手段１５６、逆送情報入力部が受信した逆送情報を受信して入力する逆送検出手段１５７、記録された測定期間内のタップ値からタップ裕度を判定するタップ裕度判定手段１５８等を備える。
【００３７】
記憶部１６は、電圧測定の基本情報等を記憶する基本情報テーブル１６１、タップ値の変更等を管理するタップ値変更テーブル１６２、タップ値に対応した変圧比等のデータを保持する変圧比換算テーブル１６３、測定された電圧値等を記憶する電圧測定テーブル１６４等により構成されている。
【００３８】
次に、記憶部１６が保持するデータベースの構成について説明する。
図５の基本情報テーブル１６１では、電圧測定の条件等の基本情報を管理する。
【００３９】
具体的には、電圧測定を行う期間、周期、箇所、ＳＶＲタップ数、電圧調整幅、素通しタップ、Ｒｙ種別、測定開始時の順送・逆送の設置状態、測定開始時のタップ値等の情報を保持する。
【００４０】
図６のタップ値変更テーブル１６２では、電圧の測定開始時のタップ値を初期値として保持し、タップ制御情報受信手段１５３が受信したタップの上げ・下げの制御情報等を記憶する。
【００４１】
具体的には、ＳＶＲ制御回路２１の上げ回路２３からの制御情報の受信を受けて時刻を記録し、現在のタップ値に１を加える。下げ回路２２からの制御情報の受信を受けて時刻を記録し、現在のタップ値から１を減ずる。
【００４２】
図７の変圧比換算テーブル１６３では、タップ値ごとの１次側と２次側の変圧比を管理する。また、変圧比は自動電圧調整器によりタップ数、電圧調整幅、素通しタップ数等の条件が異なるため、それぞれの条件ごとに数値を保持する。
【００４３】
図８の電圧測定テーブル１６４では、測定期間内における測定時間ごとのタップ値、測定した２次側電圧値、算出した１次側電圧値等のデータを保持する。
【００４４】
［基本情報等の設定］
次に、本実施形態の自動電圧調整器用電圧測定器１により電圧の測定を行うまでのフローを、図９に基づいて説明する。
【００４５】
はじめに、上記の２次側電圧測定用、タップ制御情報入力用（上・下）、逆流情報入力用の各メタルコネクタに、それぞれ対応するケーブル類を接続する（Ｓ１０１）。
【００４６】
２次側電圧測定用のメタルコネクタ（２次側電圧測定部１３）に接続したケーブル類の反対側の端子は、ＳＶＲ２の２次側の制御巻線２４に接続する。また、タップ制御情報入力用（上・下）のメタルコネクタ（タップ制御情報入力部１２）に接続する電流クランプメータは、ＳＶＲ制御回路２１を構成する下げ回路２２および上げ回路２３に取り付ける。逆送情報入力用のメタルコネクタ（逆送情報入力部１４）に接続する電流クランプメータは、逆流継電器（６７Ｒｙ）２５に取り付ける（Ｓ１０２）。これにより、測定回路の接続は完了する。
【００４７】
次に、本実施形態の自動電圧調整器用電圧測定器１による電圧の測定に必要な、ＳＶＲ２の仕様を確認する（Ｓ１０３）。自動電圧調整器（ＳＶＲ）は、備えるタップ数や、電圧を一定に調整する際に許容される幅、調整を行うことなく電圧を素通しするタップ数が機種により異なる。そのため、自動電圧調整器用電圧測定器１の設定に先立ち、それらの数値を確認する。また、ＳＶＲ制御回路２１におけるＲｙの種別等についても確認する。
【００４８】
ＳＶＲ２の仕様を確認すると、自動電圧調整器用電圧測定器１の設定を実施する（Ｓ１０４）。具体的には、自動電圧調整器用電圧測定器１の操作部１１（図３）において「設定値」として表示された欄に「操作キー」より入力する。
【００４９】
設定する内容としては、上述のＳＶＲ２のタップ数、電圧調整幅、素通しタップ、ＳＶＲ制御回路２１におけるＲｙの種別等の設定や、固定タップの情報等を入力するほか、電圧潮流が順送であるか逆送であるかといったＳＶＲ２の設置状態等の入力を行う。さらに、自動電圧調整器用電圧測定器１が電圧の測定を行う周期や期間についても設定を行う。
【００５０】
これらの情報は、基本情報入力手段１５１により記憶部１６の基本情報テーブル１６１に保存される。
【００５１】
また、測定開始時にＳＶＲ２に表示されたタップ値を操作者等により確認をして、タップ初期値として入力する（タップ初期値入力手段１５２）。入力されたタップ初期値は、基本情報テーブル１６１に保存されて、タップ値変更テーブル１６２で管理するタップ値の初期値とされる（図６）。
【００５２】
以上の通り、自動電圧調整器用電圧測定器１の設定完了により、電圧の測定を開始することができる。
【００５３】
［タップ値の変更処理］
次に、本実施形態の自動電圧調整器用電圧測定器１において管理する自動電圧調整器２のタップ値の変更処理について、図１０に表すフローに基づいて説明する。
【００５４】
上述の通り、操作者は電圧測定開始時に自動電圧調整器２に表示されたタップ値の視認等を行い（Ｓ２０１）、そのタップ値を自動電圧調整器用電圧測定器１の操作部１１が備える操作キー等で入力する（Ｓ２０２・図３）。
【００５５】
入力されたタップ値は、基本情報として基本情報テーブル１６１に保存されるほか（基本情報入力手段１５１）、タップ初期値入力手段１５２は、タップ値変更テーブル１６２が管理するタップ値に「タップ初期値」として保存する（Ｓ２０３）。図６の例では、「タップ初期値」として「５」を保存する。
【００５６】
その後、配電線３において電圧降下が発生し（Ｓ２０４）、ＳＶＲ２は電圧の降下に対応して、ＳＶＲ２本体のタップ値が１ステップ上昇する（Ｓ２０５）。これらのＳＶＲ２の制御は、ＳＶＲ制御回路２１が備える９０Ｒｙにより行われる（図３）。
【００５７】
タップ上げ回路２３の作動は、タップ上げ回路２３に取り付けた電流クランプメータが検知する。電流クランプメータから送信されたタップ上げ情報は、タップ制御情報入力部１２が受信する（タップ制御情報受信手段１５３・Ｓ２０６）。
【００５８】
タップ制御情報受信手段１５３は、タップ値変更テーブル１６２の「上げ情報検出時間」のカラムにタップ上げ情報の受信時間を保存する（Ｓ２０７）。
【００５９】
タップ値算出手段１５４は、タップ値変更テーブル１６２へのタップ上げ情報の受信時間の保存を受けて実行し、タップ初期値を１ステップ上昇する（Ｓ２０８）。図６の例では、タップ初期値である「５」から１を加算して「６」に変更する。
【００６０】
なお、電圧が上昇した場合には、タップ下げ回路２２が作動することで、タップ制御情報入力部１２はタップ下げ情報を受信する（タップ制御情報受信手段１５３）。タップ制御情報受信手段１５３は、タップ値変更テーブル１６２の「下げ情報検出時間」のカラムにタップ下げ情報の受信時間を保存する。
【００６１】
タップ値算出手段１５４は、タップ値変更テーブル１６２へのタップ下げ情報の受信時間の保存を受けて実行し、タップ初期値を１ステップ降下する（Ｓ２０８）。図６の例では、タップ初期値である「６」から１を減算して「５」に変更する。
以上のタップ値の変更処理は、測定期間の終了まで繰り返し行われる。
【００６２】
［電圧の測定処理］
次に、本実施形態の自動電圧調整器用電圧測定器１において、電圧の測定および算定を行う処理を、図１１に基づいて説明する。
【００６３】
はじめに、基本情報入力手段１５１により保存された基本情報テーブル１６１（図５）の測定期間（始）に設定された時間の到来により（Ｓ３０１）、２次側電圧入力手段１５５が実行し、制御巻線２４からの電圧を２次側電圧測定部１３から取得する（Ｓ３０２）。本実施形態では、６６００Ｖの電圧を１１０Ｖに降圧して測定を行う（図３）。２次側電圧入力手段１５３は、測定された２次側の電圧値を電圧測定テーブル１６４に保存する（Ｓ３０２）。
【００６４】
なお、測定期間（始）に設定された時間の到来後は、基本情報テーブル１６１に設定された測定周期の間隔ごとに実行する（図５）。
次に、１次側電圧算出手段１５６が実行して、１次側電圧の算出に必要な変圧比の情報を取得する。
【００６５】
具体的には、タップ値変更テーブル１６２から、電圧測定時点のタップ値データを取得する（Ｓ３０３）。次に、基本情報テーブル１６１に保存した自動電圧調整器２のタップ数、電圧調整幅、素通しタップ等のデータに基づいて、変圧比換算テーブル１６３から該当するカラムを特定し（Ｓ３０４・図７）、タップ値変更テーブル１６２から取得したタップ値データに対応する変圧比データを取得する（Ｓ３０５）。
【００６６】
１次側電圧算出手段１５６は、取得した変圧比データを電圧測定テーブル１６４に保存して（Ｓ３０６）、２次側電圧値と乗ずることで１次側電圧値を算出する（Ｓ３０７）。１次側電圧算出手段１５６は、算出された１次側電圧値データを電圧測定テーブルに保存する（Ｓ３０８・図８）。
電圧の測定処理は繰り返し実行され、測定期間（終）の到達により終了する。
【００６７】
［逆送検出処理］
次に、本実施形態の自動電圧調整器用電圧測定器１における、逆送検出処理について説明する。
【００６８】
図４において、自動電圧調整器２の１次側の電圧（到達電圧）の調整を行い、２次側に送り出すこととしている（送出電圧）。しかし、分散電源等の環境のもとでは、潮流が逆向きになることもある。逆送検出処理とは、かかる場合において電圧測定を可能とする処理を意味する。
【００６９】
具体的には、配電線３に繋がる逆流継電器２５（６７Ｒｙ）により配電線の逆送の発生を検知し、逆流継電器２５に取り付けた電流クランプメータは逆送情報入力部１４に逆送情報を送信する。逆送検出手段１５７は、逆送情報入力部１４が受信した逆送情報を検知して、逆送となる時間帯を電圧測定テーブル１６４に保存する（図８）。
【００７０】
１次側電圧算出手段１５６は、電圧測定テーブル１６４が保持する逆送となる時間帯に行われる１次側電圧の算出に際して、変圧比を逆にすることで逆送の場合であっても１次側電圧の算出を可能とする。
【００７１】
［タップ裕度判定処理］
次に、本実施形態の自動電圧調整器用電圧測定器１における、タップ裕度判定処理について説明する。
【００７２】
タップ裕度の判定処理とは、測定期間内の下限タップ値または上限タップ値に基づいて、自動電圧調整器（ＳＶＲ）の裕度を判定する処理を意味する。
【００７３】
具体的には、本実施形態の自動電圧調整器用電圧測定器１では、測定期間内におけるＳＶＲ２のタップ値の変更を、タップ値変更テーブル１６２において管理するが（図６）、タップ値が上限または下限の「１」「９」が記録されているような場合には、タップ値に裕度がなく、ＳＶＲ２の設定を検討する必要がある。
【００７４】
タップ裕度判定手段１５８は、タップ値変更テーブル１６２のタップ値が所定の値となった場合に、たとえばハイライト表示等を行うことにより、操作者に注意を促すように設定することができる。
【００７５】
以上の通り、第１の実施形態にかかる自動電圧調整器用電圧測定器１によれば、１次側の電圧を測定できない自動電圧調整器であっても、簡易な方法で１次側の電圧を知得することが可能となる。
【００７６】
また、第１の実施形態にかかる自動電圧調整器用電圧測定器１では、測定開始時のタップ初期値を操作者の視認により行い、操作部１１に入力を行うこととしていたが、たとえば、タップ窓に表示される刻印されたタップ値を小型カメラで撮影し、タップ値を読み取らせることで自動化を図ることもできる（図１２）。
【００７７】
これにより、測定開始時のタップ初期値の設定において、ヒューマンエラーを防止することができる。
【００７８】
［第２の実施形態］
図１３に示す第２の実施形態の自動電圧調整器用電圧測定器１は、遠隔監視制御機能を備えることで第１の実施形態と異なる。
【００７９】
配電線３の系統変更時に、配電線負荷の増大により電圧降下が大きくなることがあるが、かかる場合に系統途中の電圧監視ができない現状においては、大幅な系統変更時の電圧過降下により電気の品質低下が発生する恐れがある。
【００８０】
第２の実施形態の自動電圧調整器用電圧測定器１では、あらかじめ電圧過降下となる恐れがある箇所に遠隔監視制御機能を備える自動電圧調整器用電圧測定器１を取り付けておくことで、系統変更時に事務所等において系統途中の電圧が確認でき、電気の品質を維持することができる。
【００８１】
また、第２の実施形態の自動電圧調整器用電圧測定器１が備えるタップ裕度判定手段１５８は、タップ値変更テーブル１６２において上限または下限のタップ値が記録されることを監視して、図示しない本実施形態の自動電圧調整器用電圧測定器１のアラーム等で警報を行うことができる。
【００８２】
なお、タップ裕度の判定基準はタップ値を「１」または「９」に限定することなく、異なるタップ値とすることもできる。また「１」または「９」であって、測定した電圧値が所定の値を上回った場合または下回った場合を判定基準とすることもできる。
【００８３】
以上の通り、本発明の自動電圧調整器用電圧測定器は、設定の変更により多種多様な活用が可能となっている。
【図面の簡単な説明】
【００８４】
【図１】従来の自動電圧調整器（ＳＶＲ）の１次側および２次側の電圧測定方法を説明する図である。
【図２】第１の実施形態にかかる自動電圧調整器用電圧測定器１を用いて行うＳＶＲ２の電圧測定方法の概略を、図１と比較して説明する図である。
【図３】本実施形態にかかる自動電圧調整器用電圧測定器１とＳＶＲ２等の機器の構成を示す図である。
【図４】本実施形態にかかる自動電圧調整器用電圧測定器１のシステム構成を示すブロック図である。
【図５】図４における記憶部１６が備える基本情報テーブル１６１のデータ構成例である。
【図６】図４における記憶部１６が備えるタップ値変更テーブル１６２のデータ構成例である。
【図７】図４における記憶部１６が備える変圧比変換テーブル１６３のデータ構成例である。
【図８】図４における記憶部１６が備える電圧測定テーブル１６４のデータ構成例である。
【図９】本実施形態の自動電圧調整器用電圧測定器１により電圧の測定を行うまでのフローを示す図である。
【図１０】本実施形態の自動電圧調整器用電圧測定器１において、自動電圧調整器２のタップ値の変更処理を行うフローを示す図である。
【図１１】本実施形態の自動電圧調整器用電圧測定器１において、電圧の測定および算定を行う処理を行うフローを示す図である。
【図１２】ＳＶＲ２のタップ窓を小型カメラで撮影し、タップ値を読み取らせることで自動化を図る例を示した図である。
【図１３】第２の実施形態の自動電圧調整器用電圧測定器１が備える遠隔監視制御機能を説明する図である。
【符号の説明】
【００８５】
１  自動電圧調整器用電圧測定器
２  自動電圧調整器（ＳＶＲ）
３  配電線
１１  操作部
１２  タップ制御情報入力部
１３  ２次側電圧測定部
１４  逆送情報入力部
１５  演算部
１６  記憶部
２１  ＳＶＲ制御回路
２２  タップ下げ回路
２３  タップ上げ回路
２４  制御巻線
２５  逆流継電器
１５１  基本情報入力手段
１５２  タップ初期値入力手段
１５３  タップ制御情報受信手段
１５４  タップ値算出手段
１５５  ２次側電圧入力手段
１５６  １次側電圧算出手段
１５７  逆送検出手段
１５８  タップ裕度判定手段
１６１  基本情報テーブル
１６２  タップ値変更テーブル
１６３  変圧比換算テーブル
１６４  電圧測定テーブル
【図４】
2009050119.tif 000003
【図５】
2009050119.tif 000004
【図６】
2009050119.tif 000005
【図８】
2009050119.tif 000006
【図９】
2009050119.tif 000007
【図１０】
2009050119.tif 000008
【図１１】
2009050119.tif 000009
【図１】
2009050119.tif 000010
【図２】
2009050119.tif 000011
【図３】
2009050119.tif 000012
【図７】
2009050119.tif 000013
【図１２】
2009050119.tif 000014
【図１３】
2009050119.tif 000015